(57)【要約】【課題】  床の隅部を壁に沿って清掃する際でも窮屈な操作をしなくてもよく、しかも、全体として操作しやすく、更に、壁との間にダストが溜まって掃き出せなくなるのを防止できる、フロアモップを提供すること。【解決手段】  多数の細いパイル２１を備えた払拭部２と、払拭部２に取り付けられて払拭部２を保持する保持部３と、一端４１が保持部３に連結されて延びた柄４と、を備えたフロアモップ１において、払拭部２の平面形状が菱形であり、柄４の延長線上には菱形の頂部２２１等が位置していることを特徴としている。【選択図】図１
2005160770.tif 000002
【特許請求の範囲】
【請求項１】
多数の細い払拭体を備えた払拭部と、払拭部に取り付けられて払拭部を保持する保持部と、一端が保持部に連結されて延びた柄と、を備えたフロアモップにおいて、
払拭部の平面形状が菱形であり、柄の延長線上には菱形の頂部が位置していることを特徴とするフロアモップ。
【請求項２】
払拭部が、多数の細い払拭体をキャンバスの少なくとも裏面に備えてなるものであり、保持部が、キャンバス表面に取り付けられてキャンバスを保持しており、キャンバスの平面形状が菱形である、請求項１記載のフロアモップ。
【請求項３】
払拭部が、多数の細い払拭体を、環状体を構成するよう並設し且つ一体化してなるものであり、保持部が、環状体に沿って設けられた筒部に、挿し込み部を挿入することによって、払拭部を保持しており、払拭部の平面形状が、保持部により保持されることにより菱形となっている、請求項１記載のフロアモップ。
【請求項４】
柄の上記一端が保持部の中央に連結されており、柄が上記一端にて水平軸回りに回動自在となっている、請求項１記載のフロアモップ。
【請求項５】
柄の上記一端が保持部の中央に連結されており、柄が上記一端にて３６０度回動自在となっている、請求項１記載のフロアモップ。
【請求項６】
保持部が、キャンバス表面に形成された袋体に挿入されることによって、キャンバス表面に取り付けられるようになっており、保持部の挿入はキャンバスの長手方向両側から行うことができるようになっている、請求項２記載のフロアモップ。
【請求項７】
保持部が、キャンバス表面の長手方向両側に形成された袋体に、保持部の長手方向両側部分を、それぞれ挿入することによって、キャンバス表面に取り付けられるようになっている、請求項２記載のフロアモップ。
【請求項８】
保持部の平面形状が菱形である、請求項７記載のフロアモップ。
【請求項９】
保持部の長手方向両側部分の先端が、上向きに反っている、請求項８記載のフロアモップ。
【請求項１０】
払拭体の長さが、平面形状菱形である払拭部の、長手方向の両側端部と長手方向の中央部とで、異なっており、両側端部の方が短い、請求項１記載のフロアモップ。
【請求項１１】
払拭体の長さが、キャンバスの外側部と内側部とで異なっており、外側部の方が短い、請求項２記載のフロアモップ。
【請求項１２】
払拭体の太さが、平面形状菱形である払拭部の、長手方向の両側端部と長手方向の中央部とで、異なっており、両側端部の方が細い、請求項１記載のフロアモップ。
【請求項１３】
払拭体の腰の強さが、平面形状菱形である払拭部の、長手方向の両側端部と長手方向の中央部とで、異なっており、両側端部の方が強い、請求項１記載のフロアモップ。
【請求項１４】
払拭体を、キャンバスの表面にも備えている、請求項２記載のフロアモップ。
【請求項１５】
払拭体がパイルである、請求項１記載のフロアモップ。
【請求項１６】
払拭体が、織布又は不織布からなる布片でできている、請求項１記載のフロアモップ。
【発明の詳細な説明】
【技術分野】
【０００１】
本発明は、床を払拭するための清掃用具として用いられるフロアモップに関するものである。
【背景技術】
【０００２】
フロアモップは、通常、払拭部と保持部と柄とからなっている。払拭部は、一般に、多数の細い払拭体（通常はパイル）をキャンバスの少なくとも裏面に備えて構成されている。保持部は、キャンバス表面に取り付けられてキャンバスを保持している。柄は、一端が保持部に連結されて延びている。このようなフロアモップは、柄を把持し、払拭部の払拭体を床面に当て、払拭部を前後左右に動かすことによって、清掃を行うものである。
【０００３】
ところで、従来一般のフロアモップは、図１５に示すような、キャンバス１０の長手方向の両側端部１０１が幅広の丸形状を有しており、柄１１は長手方向に延びている。なお、図１５では、キャンバス１０及び柄１１を図示しており、払拭体及び保持部の図示は省略している。
【特許文献１】特開平５−２７７０５４号公報
【特許文献２】特開平６−１４２０２６号公報
【発明の開示】
【発明が解決しようとする課題】
【０００４】
図１５のフロアモップでは、床２００の隅部２０１を壁２０２に沿って清掃する際に、柄１１を把持した手２０３が壁２０２に当たることがあり、窮屈な操作を余儀なくされるという不具合があった。しかも、図１５に示すように、端部１０１と壁２０２との間の隅に、ダスト３０１が溜まり掃き出せないという不具合があった。
【０００５】
本発明は、床の隅部を壁に沿って清掃する際でも窮屈な操作をしなくてもよく、しかも、全体として操作しやすく、更に、壁との間にダストが溜まって掃き出せなくなるのを防止できる、フロアモップを提供することを目的とする。
【課題を解決するための手段】
【０００６】
請求項１記載の発明は、多数の細い払拭体を備えた払拭部と、払拭部に取り付けられて払拭部を保持する保持部と、一端が保持部に連結されて延びた柄と、を備えたフロアモップにおいて、払拭部の平面形状が菱形であり、柄の延長線上には菱形の頂部が位置していることを特徴としている。
【０００７】
請求項２記載の発明は、請求項１記載の発明において、払拭部が、多数の細い払拭体をキャンバスの少なくとも裏面に備えてなるものであり、保持部が、キャンバス表面に取り付けられてキャンバスを保持しており、キャンバスの平面形状が菱形であるものである。
【０００８】
請求項３記載の発明は、請求項１記載の発明において、払拭部が、多数の細い払拭体を、環状体を構成するよう並設し且つ一体化してなるものであり、保持部が、環状体に沿って設けられた筒部に、挿し込み部を挿入することによって、払拭部を保持しており、払拭部の平面形状が、保持部により保持されることにより菱形となっているものである。
【０００９】
請求項４記載の発明は、請求項１記載の発明において、柄の上記一端が保持部の中央に連結されており、柄が上記一端にて水平軸回りに回動自在となっているものである。
【００１０】
請求項５記載の発明は、請求項１記載の発明において、柄の上記一端が保持部の中央に連結されており、柄が上記一端にて３６０度回動自在となっているものである。
【００１１】
請求項６記載の発明は、請求項２記載の発明において、保持部が、キャンバス表面に形成された袋体に挿入されることによって、キャンバス表面に取り付けられるようになっており、保持部の挿入はキャンバスの長手方向両側から行うことができるようになっているものである。
【００１２】
請求項７記載の発明は、請求項２記載の発明において、保持部が、キャンバス表面の長手方向両側に形成された袋体に、保持部の長手方向両側部分を、それぞれ挿入することによって、キャンバス表面に取り付けられるようになっているものである。
【００１３】
請求項８記載の発明は、請求項７記載の発明において、保持部の平面形状が菱形であるものである。
【００１４】
請求項９記載の発明は、請求項８記載の発明において、保持部の長手方向両側部分の先端が、上向きに反っているものである。
【００１５】
請求項１０記載の発明は、請求項１記載の発明において、払拭体の長さが、平面形状菱形である払拭部の、長手方向の両側端部と長手方向の中央部とで、異なっており、両側端部の方が短いものである。
【００１６】
請求項１１記載の発明は、請求項２記載の発明において、払拭体の長さが、キャンバスの外側部と内側部とで異なっており、外側部の方が短いものである。
【００１７】
請求項１２記載の発明は、請求項１記載の発明において、払拭体の太さが、平面形状菱形である払拭部の、長手方向の両側端部と長手方向の中央部とで、異なっており、両側端部の方が細いものである。
【００１８】
請求項１３記載の発明は、請求項１記載の発明において、払拭体の腰の強さが、平面形状菱形である払拭部の、長手方向の両側端部と長手方向の中央部とで、異なっており、両側端部の方が強いものである。
【００１９】
請求項１４記載の発明は、請求項２記載の発明において、払拭体を、キャンバスの表面にも備えているものである。
【００２０】
請求項１５記載の発明は、請求項１記載の発明において、払拭体がパイルであるものである。
【００２１】
請求項１６記載の発明は、請求項１記載の発明において、払拭体が、織布又は不織布からなる布片でできているものである。
【発明の効果】
【００２２】
請求項１ないし３に記載の発明によれば、払拭部の平面形状が菱形であるので、床の隅部を壁に沿って清掃する場合において、払拭部の菱形の一辺を隅部に当接させることにより、柄を壁から遠ざかる方向に位置させることができる。従って、操作が窮屈となるのを防止できる。
【００２３】
また、払拭部の長手方向両側部分が先細りの形状を有しているので、菱形の頂部と壁との間にダストを溜めることなくダストを掃き出させることができる。
【００２４】
請求項４記載の発明によれば、柄を前後方向に回動できるので、一辺の払拭体がダストを担持して汚れると、柄を反対方向に回動させて、対向する一辺を使用することができる。従って、汚れていない部分を適宜使用することにより、良好な清掃を行うことができる。
【００２５】
請求項５記載の発明によれば、柄が保持部に対して３６０度回動自在であるので、平面形状菱形の払拭部を任意な方向に向かせた状態で、清掃作業を行うことができる。従って、清掃効率を向上できる。
【００２６】
請求項６記載の発明によれば、保持部を容易に且つ確実にキャンバスに取り付けることができる。
【００２７】
請求項７記載の発明によれば、柄を極めて簡単にキャンバスに取り付けることができ、
【００２８】
請求項８記載の発明によれば、キャンバスの平面形状を菱形に維持できる。
【００２９】
請求項９記載の発明によれば、キャンバスの長手方向両側の頂部付近に設けられている払拭体を外側に向けることができる。従って、当該頂部が清掃対象物に向いた場合でも、払拭体が清掃対象物に当たることとなり、当該頂部は当たらないので、清掃対象物が傷付くのを防止できる。
【００３０】
また、挿入された保持部の長手方向両側部分よりも袋体が少し大きめであっても、先端が袋体の裏面に引っ掛かるようになるため、両側部分が袋体内で自由に動くのを防止でき、従って、柄の操作とキャンバスの動きとの間にずれが生じるのを防止できる。
【００３１】
請求項１０記載の発明によれば、キャンバスの辺を擦るように使用した場合に、払拭体が良好にばらつくこととなり、払拭体を有効に使うことができる。
【００３２】
請求項１１記載の発明によれば、ダストを掃き寄せるように使用した場合に、払拭体が良好にばらつくこととなり、払拭体を有効に使うことができる。
【００３３】
請求項１２記載の発明によれば、床の隅部を清掃する場合に、払拭体が隅部に届きやすい。
【００３４】
請求項１３記載の発明によれば、隅部を清掃する場合に、払拭体が隅部に届きやすい。
【００３５】
請求項１４記載の発明によれば、上下に狭い隙間を清掃する場合に、上下両面を一度に清掃できる。
【００３６】
請求項１５記載の発明によれば、清掃効率を向上できる。
【００３７】
請求項１６記載の発明によれば、パイルを用いた場合に比して、生産コストを低減できる。
【発明を実施するための最良の形態】
【００３８】
（実施形態１）
図１は本発明のフロアモップの平面図、図２は図１のII矢視図である。このフロアモップ１は、多数の細い払拭体であるパイル２１とキャンバス２２とからなる払拭部２と、キャンバス２２を保持する保持部３と、一端４１が保持部３に連結されて延びた柄４と、からなっている。
【００３９】
パイル２１はキャンバス２２の裏面に設けられている。ここでは、全てのパイル２１の長さ、太さ、及び腰の強さは、同じである。図では、大部分のパイル２１の図示を省略している。
【００４０】
キャンバス２２は、パイル２１が縫い付けられる厚手の布体であり、平面形状が菱形のものである。即ち、キャンバス２２は、長手方向両側部分が先細りの形状を有しており、長手方向両側に頂部２２１，２２２を、幅方向両側に頂部２２３，２２４を、有している。また、キャンバス２２の表面の長手方向両端部分には、後述する保持部３の取付用の、袋体２２５，２２６が形成されている。
【００４１】
保持部３は、平板状のものであり、平面形状がキャンバス２２と同じ菱形のものである。また、保持部３は、長手方向の略中央で山折できるようになっており、山折状態にして、長手方向の両側部分３１，３２を、キャンバス２２の表面の袋体２２５，２２６にそれぞれ挿し込むことにより、キャンバス２２に取り付けられ、キャンバス２２を保持している。従って、保持部３は、容易に且つ確実にキャンバス２２に取り付けられる。両側部分３１，３２の先端３１１，３２１は、上向きに反っている。
【００４２】
保持部３を山折できる機構は、具体的には、図３に示すようになっている。図３は保持部３の部分断面側面図である。保持部３において、部分３１と部分３２とは、図１の実線Ｅに示すように、分割されており、柄４は部分３２に連結している。部分３２には、部分３１側に向けてスプリング３３１で付勢された凸部３３２が設けられている。凸部３３２は、付勢された状態で、部分３１の凹部３３３に係合するようになっている。凸部３３２は、波状に形成された上面部分３３４に指を当てて、スプリング３３１の付勢力に抗して部分３２側に移動させると、凹部３３３との係合が解除されるようになっている。凸部３３２と凹部３３３との係合が解除されると、部分３１は、部分３２に対して自由となり、軸３３５回りを回動可能となる。よって、部分３１をＺの位置まで回動させれば、保持部３は山折状態となる。
【００４３】
柄４は、長い棒状のものであり、フロアモップ１を操作するために把持するものである。柄４の一端４１は、保持部３の中央の一対の保持脚３０に水平軸４１１を介して回動自在に連結されている。従って、柄４は、図２中の矢印Ａ方向（前後方向）へ回動可能である。キャンバス２２の菱形の長手方向の頂部２２１，２２２が、柄４の延長線上に位置している。
【００４４】
上記構成のフロアモップは、キャンバス２２の平面形状が菱形であるので、図４に示すように、床２００の隅部２０１を壁２０２に沿って矢印方向に清掃する場合において、キャンバス２２の菱形の一辺２２ａを隅部２０１に当接させることにより、柄４を壁２０２から遠ざかる方向に位置させることができる。従って、操作が窮屈となるのを防止できる。
【００４５】
また、キャンバス２２の長手方向両側部分が先細りの形状を有しているので、図４に示すように、矢印方向に清掃すれば、頂部２２１と壁２０２との間にダスト３０１を溜めることなくダスト３０１を掃き出させることができる。
【００４６】
また、柄４を前後方向に回動できるので、一辺２２ａに位置するパイル２１がダストを担持して汚れると、柄４を反対方向に回動させて、一辺２２ｂを使用することができる。更には、一辺２２ｃ，２２ｄも使用できる。従って、汚れていない部分を適宜使用することにより、良好な清掃を行うことができる。しかも、このような使用の切替は、柄４の前後方向への回動操作だけで行うことができるので、容易である。
【００４７】
更に、保持部３の両側部分３１，３２の先端３１１，３２１が上向きに反っているので、キャンバス２２の頂部２２１，２２２を上向きにでき、その分だけ、頂部２２１，２２２付近に設けられているパイル２１を外側に向けることができる。従って、キャンバス２２の頂部２２１，２２２が清掃対象物に向いた場合でも、パイル２１が清掃対象物に当たることとなり、頂部２２１，２２２は当たらないので、清掃対象物が傷付くのを防止できる。また、先端３１１，３２１が上向きに反っているので、挿入された保持部３の両側部分３１，３２よりも袋体２２５，２２６が少し大きめであっても、先端３１１，３２１が袋体２２５，２２６の裏面に引っ掛かるようになるため、両側部分３１，３２が袋体２２５，２２６内で自由に動くのを防止でき、従って、柄４の操作とキャンバス２２の動きとの間にずれが生じるのを防止できる。
【００４８】
（実施形態２）
本実施形態は、図５に示すように、払拭部２がキャンバス２２を持たないものである。この払拭部２は、図６に示すように、多数のパイル２１を並べて縫いつけた長い帯体２５に、短い帯体２６１，２６２，２６３を、二つ折りの布体２７１，２７２，２７３を間に挟んで、縫いつけ、布体２７１の端２７１１と、布体２７３の端２７３１とを、繋ぎ合わせ、これにより、多数のパイル２１が並設されてなる環状体を構成してなるものである。なお、布体２７１と布体２７３とを合わせた長さは、布体２７２の長さと同じに設定されている。
【００４９】
図７は縫いつけられた布体２７１等の断面図であり、布体２７１等により筒部２５０等が構成されていることを示している。即ち、完成した払拭部２では、図５に示すように、布体２７２からなる筒部２５０と、布体２７１と布体２７３とからなる筒部２５１とが、できている。そして、平面図である図８に示す保持部３が、一方の側の２本の挿し込み部３５１，３５２を筒部２５０に両端２５０１，２５０２から挿入し、他方の側の２本の挿し込み部３５３，３５４を筒部２５１に両端２５１１，２５１２から挿入することにより、払拭部２を保持している。保持部３は、図８に示すように、平面形状が菱形であるので、払拭部２も平面形状が菱形である。
【００５０】
実施形態２においても、払拭部２の平面形状が菱形であり、また、柄４が前後方向（矢印Ａ方向）に回動可能であるので、実施形態１と同様の作用効果を示す。
【００５１】
（実施形態３）
本実施形態は、柄４が前後方向に回動できないものである。即ち、本実施形態の一例である図９のフロアモップでは、柄４の一端４１が保持部３に固定されており、保持部３は、キャンバス２２表面に形成された袋体２２７に挿入されることによって、キャンバス２２表面に取り付けられるようになっている。袋体２２７は長手方向両側に挿入口２２７１を有しており、保持部３の挿入は両方向から行うことができるようになっている。これによれば、柄４を極めて簡単にキャンバス２２に取り付けることができる。また、柄４を前後方向に回動できる場合と同様に、汚れていない部分を適宜使用することにより、良好な清掃を行うことができる。その他の構成は実施形態１と同じである。
【００５２】
この例においても、キャンバス２２の平面形状が菱形であり、従って、払拭部２の平面形状が菱形であるので、実施形態１と同様の作用効果を示す。
【００５３】
図１０は本実施形態の別の例のフロアモップで用いる柄４及び保持部３である。柄４の一端４１は保持部３に固定されている。保持部３は、キャンバス２２の袋体２２７（図９）に挿入される挿し込み部３６１と、柄４の一端４１が結合している結合部３６２と、挿し込み部３６１と結合部３６２との間の湾曲部３６３とからなっている。従って、この例によれば、湾曲部３６３が緩衝作用を発揮するので、清掃作業を柔らかい操作性の下で行うことができる。
【００５４】
しかも、図１０の保持部３は、部分拡大図である図１１に示すように、挿し込み部３６１を袋体２２７に挿入した状態で袋体２２７を把持する把持部３７を備えている。把持部３７は、湾曲部３６３から延びた支持体３７１と、支持体３７１の先端に、回動可能に、且つ、ばね機構（図示せず）によって矢印Ｂ方向に付勢されて設けられた、把持レバー３７２と、からなっている。把持部３７は、挿し込み部３６１を袋体２２７に挿入する際には、把持レバー３７２の一端３７２１を矢印Ｃ方向に押すことによって袋体２２７から逃がし、挿入した後に、矢印Ｃ方向への押す力を解くと、矢印Ｂ方向への付勢力によって、把持レバー３７２の先端３７２２が袋体２２７を挿し込み部３６１に対して押し付け、これによって、袋体２２７を把持するようになっている。従って、図１０の例では、清掃作業中に、払拭部２が保持部３から外れてしまうのを確実に防止でき、それ故、清掃作業を安定して行うことができる。
【００５５】
（実施形態４）
本実施形態は、柄４が保持部３に対して３６０度回動できるものである。柄４の一端４１と保持部３との連結構造は、図１２に示すようになっている。即ち、図１２において、保持部３の中央部には、一対の支持柱５１が垂直に且つ平行に起立して設けられている。この支持柱５１には、十字具５２の水平軸５２１がその両端にて回転自在に支持されている。十字具５２の直交軸５２２の両端は、コ字体５３の両辺５３１の先端部に回転自在に支持されている。なお、水平軸５２１と直交軸５２２は、互いに中央で交差している。コ字体５３は、中央辺５３２が直交軸５２２と平行になっている。そして、中央辺５３２の中央に、柄４の一端４１が、両辺５３１と平行に且つ中央辺５３２と直角に、固定されている。なお、コ字体５３は、直交軸５２２回りに回動した場合に、中央辺５３２が支持柱５１の外側下方まで来ることができるような、且つ、水平軸５２１回りに回動した場合に、一辺５３１が水平軸５２１と一対の支持柱５１とで囲まれた空間内で保持部３と平行になることができるような、寸法に設定されている。
【００５６】
上記連結構造によれば、柄４は、水平軸５２１回りにも、直交軸５２２回りにも、回動できる。しかも、直交軸５２２自体が水平軸５２１回りに回動でき、コ字体５３自体が直交軸５２２回りに回動できる。従って、その結果として、柄４は、保持部３に対して３６０度回動できる。
【００５７】
（別の実施形態）
なお、本発明では、次のような構成を採用してもよい。
【００５８】
（１）図１３は払拭部２の長手方向の断面模式図である。図１３に示すように、パイル２１の長さが、キャンバス２２の長手方向の両側端部Ｘ１と長手方向の中央部Ｙ１とで、異なっており、両側端部Ｘ１の方が短い。これによれば、キャンバス２２の辺を擦るように使用した場合に、パイル２１が良好にばらつくこととなり、パイル２１を有効に使うことができる。
【００５９】
（２）図１４は払拭部２の幅方向の断面模式図である。図１４に示すように、パイル２１の長さが、キャンバス２２の外側部Ｘ２と内側部Ｙ２とで異なっており、外側部Ｘ２の方が短い。これによれば、ダストを掃き寄せるように使用した場合に、パイル２１が良好にばらつくこととなり、パイル２１を有効に使うことができる。
【００６０】
（３）パイル２１の太さが、キャンバス２２の長手方向の両側端部Ｘ１（図１３）と長手方向の中央部Ｙ１（図１３）とで、異なっており、両側端部Ｘ１の方が細い。これによれば、隅部を清掃する場合に、パイル２１が隅部に届きやすい。
【００６１】
（４）パイル２１の腰の強さが、キャンバス２２の長手方向の両側端部Ｘ１（図１３）と長手方向の中央部Ｙ１（図１３）とで、異なっており、両側端部Ｘ１の方が強い。これによれば、隅部を清掃する場合に、パイル２１が隅部に届きやすい。
【００６２】
（５）パイル２１を、キャンバス２２の裏面だけでなく表面にも備えている。これによれば、上下に狭い隙間を清掃する場合に、上下両面を一度に清掃できる。
【００６３】
（６）パイルの代わりに、織布又は不織布からなる細い布片を用いる。これによれば、パイルを用いた場合に比して、生産コストを低減できる。
【００６４】
（７）キャンバス２２の平面形状が菱形であるならば、保持部３の平面形状は、必ずしも菱形でなくてもよい。
【産業上の利用可能性】
【００６５】
本発明のフロアモップは、特に床の隅部を清掃するのに有効に使用できるものであるので、産業上の利用価値が大なるものである。
【図面の簡単な説明】
【００６６】
【図１】本発明の実施形態１のフロアモップの平面図である。
【図２】図１のII矢視図である。
【図３】実施形態１のフロアモップの保持部の部分断面図である。
【図４】実施形態１のフロアモップの使用状態を示す平面模式図である。
【図５】実施形態２のフロアモップの斜視図である。
【図６】実施形態２のフロアモップの払拭部の分解斜視図である。
【図７】実施形態２のフロアモップの払拭部の断面模式図である。
【図８】実施形態２のフロアモップの保持部の平面図である。
【図９】実施形態３のフロアモップの平面図である。
【図１０】実施形態３の別の例のフロアモップの柄及び保持部の側面図である。
【図１１】図１０の部分拡大図である。
【図１２】実施形態４のフロアモップの柄と保持部との連結構造を示す斜視図である。
【図１３】払拭体の別の例を示す断面模式図である。
【図１４】払拭体の更に別の例を示す断面模式図である。
【図１５】従来のフロアモップの使用状態を示す平面模式図である。
【符号の説明】
【００６７】
１  フロアモップ
２  払拭部
２１  パイル（払拭体）
２２  キャンバス
２２１，２２２，２２３，２２４  頂部
２２５，２２６，２２７  袋体
２５０，２５１  筒部
３  保持部
３１，３２  （保持部３の長手方向両側の）部分
３１１，３２１  先端
３５１，３５２，３５３，３５４  挿し込み部
４  柄
４１  一端
【図１】
2005160770.tif 000003
【図２】
2005160770.tif 000004
【図３】
2005160770.tif 000005
【図４】
2005160770.tif 000006
【図５】
2005160770.tif 000007
【図６】
2005160770.tif 000008
【図７】
2005160770.tif 000009
【図８】
2005160770.tif 000010
【図９】
2005160770.tif 000011
【図１０】
2005160770.tif 000012
【図１１】
2005160770.tif 000013
【図１２】
2005160770.tif 000014
【図１３】
2005160770.tif 000015
【図１４】
2005160770.tif 000016
【図１５】
2005160770.tif 000017